(57)【要約】【課題】人間が安全とされる０．１ｐｐｍ以下の低濃度のオゾンを長期間、安定に発生させることができるオゾン発生装置を実現する。【解決手段】単極型放電管１の先端部１４に設けた突起１５と、この突起１５へ嵌合させて配置した中空円板状の電極２とを備え、単極型放電管１の電極１３と中空円板状の電極２に交流高圧電圧を印加して、両電極１１、２間の空気をオゾン化するように構成する。また、中空円板状の電極２は、バネ部材３によって単極型放電管１へ押し当てて固定することにより、両電極１１と２間の位置関係を物理的に安定した状態に構成する。さらに、中空円板状の電極２の一部に針状電極部を設けて、オゾンと同時に、マイナスイオンを発生させるように構成する。【選択図】図１
2006143567.tif 000002
【特許請求の範囲】
【請求項１】
単極型放電管の先端部に設けた突起と、この突起へ嵌合させて配置した穴付き電極板とを備え、
前記単極型放電管の電極と前記穴付き電極板間に交流高圧電圧を印加して両電極間の空気をオゾン化するように構成したことを特徴とするオゾン発生装置。
【請求項２】
単極型放電管の先端部に設けた突起と、この突起へ嵌合させて配置した穴付き電極板と、この穴付き電極板の一部を突出させて形成した針状電極部とを備え、
前記単極型放電管の電極へ交流高圧電圧を印加するとともに、前記穴付き電極板へ前記交流高圧電圧を整流して得たマイナスの直流高圧電圧を印加して、
前記単極型放電管の電極と前記穴付き電極板間の空気をオゾン化すると同時に、前記針状電極部からマイナスイオンを発生するように構成したことを特徴とするオゾン発生装置。
【請求項３】
前記穴付き電極板は、バネ部材によって前記単極型放電管へ押し当てて固定するように構成したことを特徴とする請求項１または２記載のオゾン発生装置。
【発明の詳細な説明】
【技術分野】
【０００１】  本発明は、オゾン発生装置に関し、特に、脱臭、殺菌、消毒などに用いるオゾン発生装置に関する。
【背景技術】
【０００２】  臭いを消す手段として、オゾンガスが有する強力な酸化作用を応用した消臭器が普及しつつある。このような消臭器におけるオゾンを発生させる方法としては、無声放電方式が一般的である。この無声放電方式は、交流の高圧電圧を印加した対向する２つの電極間にガラスなどの誘電体層と空気層を設けて、この２つの電極間の電場を通る空気中の酸素をオゾン化するように構成している。【０００３】  また、このような無声放電方式によるオゾンを安定して発生させる方法としては、互いに接近して並設された２本の単極型ガス封入放電管と、その２本の放電管の電極に高周波の高圧電圧を印加する手段を有するオゾン発生装置が提案されている（例えば、特許文献１参照。）。【０００４】  さらに、無声放電方式によるオゾンを安定して発生させる方法としては、単極型放電管の外側にスライド可能に設けた第２の電極を備え、この第２の電極をスライドさせることにより、放電管内の電極に対して接近および離間できるように構成し、オゾンの発生量を調節できるようにしたオゾン発生装置が提案されている（例えば、特許文献２参照。）。【０００５】
【特許文献１】特開平８−２９０３号公報（第２−３頁、第３図）
【特許文献２】特開平１１−２０９１０４号公報（第２−３頁、第１図）
【発明の開示】
【発明が解決しようとする課題】
【０００６】  上述した従来のオゾン発生装置のように、第１の電極を単極放電管とする方法は、オゾン量を安定して長期間にわたり発生させるには有効な手段である。すなわち、ここに用いられる単極放電管には、導電性ガスが封入されているため、放電管内は導体とみなし得て、電極と誘電体を兼ね備えている。したがって、金属を用いた一般的な電極とは異なり、電極自体が露出していないため、汚れなどの影響を受けにくく、長寿命化を図ることができる特長がある。【０００７】  しかし、上述したようなオゾンの発生方法でも、０．１ｐｐｍ以下といった低濃度のオゾンを長期間、安定して発生させるためには次のような問題がある。【０００８】  例えば、上述した２本の単極放電管を接近させて並設させて構成したオゾン発生装置においては、２本の放電管を平行に配置しているが、オゾンの発生箇所は、この２本の放電管どうしが放電しあっている箇所一ヶ所に限られる。その箇所は、発生したオゾンが空気よりも絶縁耐圧が上がるため、一定の位置には止まれずに不安定に移動することになる。これが、低濃度でオゾンを発生させようとする場合の不安定要素となる。また、放電管を構成するガラス管の厚みが２倍となるため、オゾンを発生させるための印加電圧も高くなるという欠点がある。【０００９】  さらに、上述したオゾン発生量の調節を可能としたオゾン発生装置においては、スライドする第２の電極と放電管との間の空隙によって放電量そのもの、そしてオゾン化される空気量が変わり、低濃度のオゾンを発生させようとする場合は、このスライドする第２の電極の放電管に対する遊びがオゾン発生の際の不安定要素となる問題があった。【００１０】  本発明は、このような従来の構成が有していた問題を解決しようとするものであり人間が安全とされる０．１ｐｐｍ以下の低濃度のオゾンを長期間、安定に発生させることができるオゾン発生装置を実現することを目的とするものである。
【課題を解決するための手段】
【００１１】  そして、本発明は、上記の目的を達成するために、単極型放電管の先端部に設けた突起と、この突起へ嵌合させて配置した穴付き電極板とを備え、単極型放電管の電極と穴付き電極板間に交流高圧電圧を印加するように構成したものである。【００１２】  また、第２の課題解決手段は、単極型放電管の先端部に設けた突起と、この突起へ嵌合させて配置した穴付き電極板と、この穴付き電極板の一部を突出させて形成した針状電極部とを備え、単極型放電管の電極へ交流高圧電圧を印加するとともに、穴付き電極板へ前記交流高圧電圧を整流して得たマイナスの直流高圧電圧を印加するように構成したものである。【００１３】  さらに、第３の課題解決手段は、上記穴付き電極板をバネ部材によって単極型放電管に押し当てて固定するように構成したものである。【００１４】  上記第１の課題解決手段による作用は、単極型放電管の電極と、穴付き電極板間に交流高圧電圧を印加することにより、両電極間の空気をオゾン化することができるとともに、０．１ｐｐｍ以下の低濃度のオゾンを長期間、安定して発生させることが可能となる。【００１５】  また、上記第２の課題解決手段による作用は、単極型放電管の電極へ交番高圧電圧を印加するとともに、穴付き電極板へ交番高圧電圧を整流して得たマイナスの直流高圧電圧を印加することにより、両電極間の空気をオゾン化すると同時に、針状電極部からマイナスイオンを発生することができる。このように、オゾンとマイナスイオンを同時に発生させることにより、空間に浮遊する臭いの粒子をマイナス電位化させてオゾンとの結合を容易にし、一層の消臭作用を発揮する。【００１６】  さらに、上記第３の課題解決手段による作用は、バネ部材によって穴付き電極板を単極型放電管押し付けて固定することにより、単極型放電管の電極と穴付き電極板との位置関係を物理的に安定した状態とすることができ、低濃度のオゾンを長期間、安定に発生させることができる。
【発明の効果】
【００１７】  本発明のオゾン発生装置は、低濃度のオゾンを長期間安定に発生させることができる。【００１８】  また、オゾンとマイナスイオンを同時に発生させることにより、空間に浮遊する臭いの粒子をマイナス電位化させてオゾンとの結合を容易にし、一層の消臭作用を発揮させることができる。
【発明を実施するための最良の形態】
【００１９】  以下、本発明の実施の形態を図１および図２に基づいて説明する。
図１の（ａ）は、本発明の第１の実施例に係るオゾン発生装置の概略構成図である。図１の（ｂ）は、図１に示すオゾン発生装置の構成要部を示す説明図である。
また、図２は、本発明の第２の実施例に係るオゾン発生装置の概略構成図である。
【実施例１】
【００２０】  まず、図１の（ａ）および（ｂ）に示す本発明の第１の実施例について説明する。
図１の（ａ）および（ｂ）において、１は単極型放電管で、円筒形のガラス管１１の閉塞した基端部１２の内部には第１の電極となる電極１３が設けられている。また、ガラス管１１内には、導電性ガスが封入されている。このように構成した単極型放電管１は、補修等の際に容易に交換できるように構成したカートリッジの筐体内（図示しない）等に固定されている。【００２１】  また、ガラス管１１の閉塞された先端部１４には、先端方向に次第に絞り込み円錐形状に突出させて形成した突起１５を設けている。【００２２】  ２は金属からなる中空円板状の電極で、第２の電極としての働きをする穴付き電極板である。この電極２は、中心部に中空部２１を設け、図１の（ｂ）に示すように、この中空部２１を突起１５へ嵌合させている。突起１５に嵌合された中空円板状の電極２は、円錐形状をした突起１５の所定の位置へ確実に配置することができる。【００２３】  ３は螺旋バネで、その一端部は筐体等の支持部材４へ圧接触し、他端部は中空円板状の電極２の一側面を押圧するように取り付けられている。したがって、中空円板状の電極２は、突起１５の傾斜面に押し当てられ、安定した状態で固定される。【００２４】  ５は交流高圧電源で、単極型放電管１の電極１３と中空円板状の電極２との間に交流高圧電圧を印加する回路部５１が接続されている。【００２５】  以下、上記構成の動作を説明する。
上記のように構成したことにより、オゾンを発生する無声放電は、第１の電極である単極型放電管１と、第２の電極である電極２の中空部２１の円周部分で生じ、その周囲の空気をオゾン化することができる。【００２６】  また、中空円板状の電極２は、螺旋バネ３によって単極型放電管１に押し付けて固定されているため、単極型放電管１の電極１３と中空円板状の電極２との位置関係は、物理的に安定した状態を保持することができ、低濃度でも一定したオゾンを長期間にわたり発生させることができる。【００２７】  また、第２の電極である中空円板状の電極２をアース電位に落としても、オゾンの発生原理や安定性には何ら変わりなく、人が誤って触れても安全な構造にすることが可能である。
【実施例２】
【００２８】  次に、図２に示す本発明の第２の実施例について説明する。
なお、上述した第１の実施例と同一の部分には同一符号を付し、その共通する箇所の詳細な説明は重複するため省略する。【００２９】  この第２の実施例の最も特長とする構造は、上述した第１の実施例と同様の原理で、オゾンとマイナスイオンを同時に発生するように構成したことにある。【００３０】  すなわち、中空円板状の電極２の一部に針状電極部２２を突出させて設けるとともに、この針状電極部２２を設けた中空円板状の電極２へコンデンサ６とダイオード７、８を介して得たマイナスの直流高圧電圧を印加するように構成している。一方、単極型放電管１の電極１３には、交流高圧電圧が印加されている。【００３１】  上記のように構成したことにより、中空円板状の電極２に設けた針状電極部２２の針先状の先端からはマイナスイオンが発生すると同時に、中空部２１の中空円周部からはオゾンが発生する。このように、オゾンとマイナスイオンを同時に発生させることによって、空間に浮遊する臭いの粒子をマイナス電位化させオゾンと結合し易くなって、一層の消臭作用を発揮させることができる。
【実施例３】
【００３２】  上述した第１および第２の実施例においては、第２の電極としての働きをする穴付き電極板を中空円板状の丸形の電極２とした実施の形態について説明したが、第２の電極を構成する穴付き電極板は、必ずしも丸形である必要はない。例えば、外形が角形で中心部に設けた穴が角形であっても、本発明の目的を達成できることには変わりはなく、本発明の要旨を逸脱しない範囲で、種々変形して実施することは可能である。
【図面の簡単な説明】
【００３３】
【図１】  図１は本発明の第１の実施例に係るオゾン発生装置の概略構成図およびオゾン発生装置の構成要部を示す説明図である。
【図２】  図２は本発明の第２の実施例に係るオゾン発生装置の概略構成図である。
【符号の説明】
【００３４】    １    単極型放電管
１１  ガラス管
１２  基端部
１３  電極
１４  先端部
１５  突起
２    電極
２１  中空部
２２  針状電極部
３    螺旋バネ
４    支持部材
５    交流高圧電源
５１  回路部
【図１】
2006143567.tif 000003
【図２】
2006143567.tif 000004